(57)【要約】  レンジフードであって、一方側に開口した筐体（１）と、前記筐体に設けられた油煙取込みパネル組立体（２）とを備え、前記油煙取込みパネル組立体は前記筐体の開口部位に設けられ、前記筐体の内室にインペラ（３）が設けられ、前記油煙取込みパネル組立体は、少なくとも前記インペラに対応する領域において前記筐体の開口を開放させることができ、そして前記インペラをこの領域から取り出すことができるような構造とされる。このレンジフードでは、インペラに対応する領域において筐体の開口を開放させ得るように油煙取込みパネル組立体を設けており、利用者はインペラやボリュートの内側壁を清掃する場合、油煙取込みパネル組立体を開放させれば、インペラを容易に油煙取込みパネル組立体の一方側から取り出すことができるため、利用者が取り出したインペラを清掃したり、ボリュートの内部までその内側壁を清掃したりすることが容易になり、それにより、レンジフードの吸引力が保証され、レンジフードの使用寿命が延長される。【選択図】図１
2020531775.tif 000002
【特許請求の範囲】
【請求項１】
レンジフードであって、開口を有する筐体と、前記筐体に設けられた油煙取込みパネル組立体とを備え、前記油煙取込みパネル組立体は前記筐体の開口部位に設けられ、前記筐体の内室にインペラが設けられ、前記油煙取込みパネル組立体は、少なくとも前記インペラに対応する領域において前記筐体の開口を開放させることができ、そして前記インペラをこの領域から取り出すことができる構造とすることを特徴とするレンジフード。
【請求項２】
前記油煙取込みパネル組立体は複数枚のパネルを含み、前記複数枚のパネルのうち、少なくとも前記インペラの位置に対応するパネルは開放可能な構造とすることを特徴とする、請求項１に記載のレンジフード。
【請求項３】
前記開放可能な構造は取外し可能な構造であり、あるいは、前記開放可能な構造は旋回可能な構造であり、あるいは、前記開放可能な構造は摺動可能な構造であることを特徴とする、請求項２に記載のレンジフード。
【請求項４】
側面吸気型レンジフードであり、前記複数枚のパネルは上パネル、下パネル及び前記上パネルと下パネルとの間に位置する油煙案内板を含み、前記上パネルは開放可能な構造とされ、前記油煙案内板は取外し可能な構造とされることを特徴とする、請求項２又は請求項３に記載のレンジフード。
【請求項５】
前記油煙案内板は開放状態と閉止状態を有し、前記開放状態では、前記油煙案内板の下端は上端に対して前記筐体から離れた位置にあり、前記閉止状態では、前記油煙案内板と前記上パネル，前記下パネルとが互いに接して煙取込みパネル組立体の平坦な外面が形成されることを特徴とする、請求項４に記載のレンジフード。
【請求項６】
前記筐体の開口部位において、前記油煙取込みパネル組立体の内側に位置する集煙フードが設けられ、前記上パネル及び／又は前記油煙案内板は前記集煙フードに接続されていることを特徴とする、請求項４に記載のレンジフード。
【請求項７】
前記上パネルは第１接続部と第２接続部とを含む第１接続部材により前記集煙フードに接続され、前記第１接続部は前記上パネルの内側表面に接続され、前記第２接続部は前記集煙フードに接続され、及び／又は、
前記油煙案内板は第３接続部と第４接続部とを含む第２接続部材により前記集煙フードに接続され、前記第３接続部は前記油煙案内板の内側表面に接続され、前記第４接続部は前記集煙フードに接続されていることを特徴とする、請求項６に記載のレンジフード。
【請求項８】
前記第１接続部は前記上パネルに接着固定され、及び／又は、
前記第２接続部は締め具により前記集煙フードに固定接続され、及び／又は、
前記第３接続部は前記油煙案内板に接着固定され、及び／又は、
前記第４接続部は締め具により前記集煙フードに固定接続されていることを特徴とする、請求項７に記載のレンジフード。
【請求項９】
前記集煙フードに伸縮可能なホルダが設けられ、前記伸縮可能なホルダにスロットが設けられ、前記第４接続部は前記スロットに挿入され、締め具により前記伸縮可能なホルダに固定接続されていることを特徴とする、請求項８に記載のレンジフード。
【請求項１０】
前記第１接続部と前記第２接続部はいずれも板状構造をなして互いに平行となり、接続板により互いに接続され、
及び／又は、
前記第３接続部と前記第４接続部はいずれも板状構造をなし、前記第４接続部は前記第３接続部の一方の側縁に接続されていることを特徴とする、請求項７に記載のレンジフード。
【請求項１１】
前記集煙フードには前記インペラの位置に対応する送風口が設けられ、前記インペラの径方向において、前記送風口の縁は前記インペラの外側に位置することを特徴とする、請求項６に記載のレンジフード。
【請求項１２】
前記集煙フードに取り付けられて前記送風口を覆う第１ろ過構造をさらに備えることを特徴とする、請求項１１に記載のレンジフード。
【請求項１３】
前記集煙フードには前記油煙取込みパネル組立体から離れる方向へ凹む窪み部が形成され、前記送風口は前記窪み部の内底面に設けられ、前記第１ろ過構造は前記窪み部に収容されていることを特徴とする、請求項１２に記載のレンジフード。
【請求項１４】
第２ろ過構造をさらに備え、前記窪み部は前記インペラの上半部の位置に対応する第１部分と前記インペラの下半部及び前記第２ろ過構造の位置に対応する第２部分とを含み、前記第１部分の側壁は前記インペラの径方向外縁に合致する形状となるように周回され、前記第２部分の側壁は前記第２ろ過構造の縁に合致する形状となるように周回され、前記第２ろ過構造は前記第２部分に取り付けられていることを特徴とする、請求項１３に記載のレンジフード。
【請求項１５】
前記上パネルは前記集煙フードに取り付けられると、前記第１部分を覆うようになることを特徴とする、請求項１４に記載のレンジフード。
【請求項１６】
前記上パネルの一方の側辺は前記集煙フード又は前記筐体にヒンジ連結されていることを特徴とする、請求項６に記載のレンジフード。
【請求項１７】
前記インペラを駆動するための駆動装置をさらに備え、前記インペラの前記油煙取込みパネル組立体から離れた端にエンドピースが設けられ、前記駆動装置は締め具により前記エンドピースに接続され、前記締め具は前記エンドピースの前記油煙取込みパネル組立体に近い側で着脱されることを特徴とする、請求項１に記載のレンジフード。
【発明の詳細な説明】
【技術分野】
【０００１】
本発明は、２０１７年１２月１９日に出願された出願番号が２０１７１１３７０８９０．５で、名称が「レンジフード」である中国特許出願の優先権を主張し、その内容のすべてを参照としてここに組み込んだものである。
【０００２】
本発明は台所用具の分野に関し、具体的にはレンジフードに関する。
【背景技術】
【０００３】
台所は食事を作る場所であるが、油煙が長年利用者を悩ませる問題となっており、サイドフード型レンジフードは、その「近くで油煙を吸引できる」という利点から利用者の主要な選択肢となっているが、従来のレンジフードはきれいに清掃することができず、レンジフードの吸引力に影響を与えていた。レンジフードの清掃としては、パネル等の表面での油汚れを清掃するだけではなく、インペラやボリュート内部に対する洗浄がレンジフードの吸引効果を高める最も根本的なものである。従来のレンジフードでは、容易にインペラやボリュートを取り外して洗浄することは不可能であり、それらを取り外して洗浄しようとすると、機器全体を解体しなければ洗浄できない。利用者はレンジフードの組付けに関する知識や電気の安全性の知識が乏しいため、利用者自身でレンジフードを取り外して洗浄することが少なく、家事専門家に頼る必要があるため、費用や時間又は手間がかかっていた。
【発明の概要】
【発明が解決しようとする課題】
【０００４】
本発明は以上のことに鑑みて、インペラの着脱をしやすく、さらにインペラやボリュートを清掃しやすいレンジフードを提供することをその目的の一つとする。
【課題を解決するための手段】
【０００５】
上記の目的を達成するために、本発明は以下のような技術的手段を採用する。
【０００６】
レンジフードであって、開口を有する筐体と、前記筐体に設けられた油煙取込みパネル組立体とを備え、前記油煙取込みパネル組立体は前記筐体の開口部位に設けられ、前記筐体の内室にインペラが設けられ、前記油煙取込みパネル組立体は、少なくとも前記インペラに対応する領域において前記筐体の開口を開放させることができ、そして前記インペラをこの領域から取り出すことができるような構造とされる。
【０００７】
好ましくは、前記油煙取込みパネル組立体は複数枚のパネルを含み、前記複数枚のパネルのうち、少なくとも前記インペラの位置に対応するパネルは開放可能な構造とされる。
【０００８】
好ましくは、前記開放可能な構造は取外し可能な構造であり、あるいは、前記開放可能な構造は旋回可能な構造であり、あるいは、前記開放可能な構造は摺動可能な構造である。
【０００９】
好ましくは、前記レンジフードは側面吸気型レンジフードであり、前記複数枚のパネルは上パネル、下パネル及び前記上パネルと下パネルとの間に位置する油煙案内板を含み、前記上パネルは開放可能な構造とされ、前記油煙案内板は取外し可能な構造とされる。
【００１０】
好ましくは、前記油煙案内板は開放状態と閉止状態を有し、前記開放状態では、前記油煙案内板の下端は上端に対して前記筐体から離れた位置にあり、前記閉止状態では、前記油煙案内板と前記上パネル，前記下パネルとが互いに接して煙取込みパネル組立体の平坦な外面が形成される。
【００１１】
好ましくは、前記筐体の開口部位において、前記油煙取込みパネル組立体の内側に位置する集煙フードが設けられ、前記上パネル及び／又は前記油煙案内板は前記集煙フードに接続されている。
【００１２】
好ましくは、前記上パネルは第１接続部と第２接続部とを含む第１接続部材により前記集煙フードに接続され、前記第１接続部は前記上パネルの内側表面に接続され、前記第２接続部は前記集煙フードに接続され、及び／又は、
前記油煙案内板は第３接続部と第４接続部とを含む第２接続部材により前記集煙フードに接続され、前記第３接続部は前記油煙案内板の内側表面に接続され、前記第４接続部は前記集煙フードに接続されている。
【００１３】
好ましくは、前記第１接続部は前記上パネルに接着固定され、及び／又は、
前記第２接続部は締め具により前記集煙フードに固定接続され、及び／又は、
前記第３接続部は前記油煙案内板に接着固定され、及び／又は、
前記第４接続部は締め具により前記集煙フードに固定接続されている。
【００１４】
好ましくは、前記集煙フードに伸縮可能なホルダが設けられ、前記伸縮可能なホルダにスロットが設けられ、前記第４接続部は前記スロットに挿入され、締め具により前記伸縮可能なホルダに固定接続されている。
【００１５】
好ましくは、前記第１接続部と前記第２接続部はいずれも板状構造をなしながら互いに平行となり、接続板により互いに接続され、
及び／又は、
前記第３接続部と前記第４接続部はいずれも板状構造をなし、前記第４接続部は前記第３接続部の一方の側縁に接続されている。
【００１６】
好ましくは、前記集煙フードには前記インペラの位置に対応する送風口が設けられ、前記インペラの径方向において、前記送風口の縁は前記インペラの外側に位置する。
【００１７】
好ましくは、前記レンジフードは、前記集煙フードに取り付けられて前記送風口を覆う第１ろ過構造をさらに備える。
【００１８】
好ましくは、前記集煙フードには前記油煙取込みパネル組立体から離れる方向へ凹む窪み部が形成され、前記送風口は前記窪み部の内底面に設けられ、前記第１ろ過構造は前記窪み部に収容されている。
【００１９】
好ましくは、前記レンジフードは第２ろ過構造をさらに備え、前記窪み部は前記インペラの上半部の位置に対応する第１部分と前記インペラの下半部及び前記第２ろ過構造の位置に対応する第２部分とを含み、前記第１部分の側壁は前記インペラの径方向外縁に合致する形状となるように周回され、前記第２部分の側壁は前記第２ろ過構造の縁に合致する形状となるように周回され、前記第２ろ過構造は前記第２部分に取り付けられている。
【００２０】
好ましくは、前記上パネルは前記集煙フードに取り付けられると、前記第１部分を覆うようになる。
【００２１】
好ましくは、前記上パネルの一方の側辺は前記集煙フード又は前記筐体にヒンジ連結されている。
【００２２】
好ましくは、前記レンジフードは前記インペラを駆動するための駆動装置をさらに備え、前記インペラの前記油煙取込みパネル組立体から離れた端にエンドピースが設けられ、前記駆動装置は締め具により前記エンドピースに接続され、前記締め具は前記エンドピースの前記油煙取込みパネル組立体に近い側で着脱される。
【発明の効果】
【００２３】
本発明によるレンジフードでは、インペラに対応する領域において筐体の開口を開放させ得るように油煙取込みパネル組立体を設けているため、利用者はインペラやボリュートの内側壁を清掃するとき、油煙取込みパネル組立体を開放させれば、インペラを容易に油煙取込みパネル組立体の一方側から取り出すことができるので、利用者が取り出したインペラを清掃したり、ボリュートの内部までその内側壁を清掃することが容易になり、それにより、レンジフードの吸引力が保証され、レンジフードの使用寿命が延長される。
【００２４】
以下、本発明の内容を明らかに理解することをより容易にするために、本発明の具体的な実施例をもとに図面と合わせて本発明についてさらに詳細に説明する。
【図面の簡単な説明】
【００２５】
【図１】本発明の一実施例によるレンジフードの分解図である。
【図２】図１に示されるレンジフードの上パネルの内側面の構造模式図である。
【図３】図１に示されるレンジフードの油煙案内板の内側面の構造模式図である。
【図４】図１におけるＡ箇所の拡大図である。
【図５】図１に示されるレンジフードの上パネルと集煙フードの連携の構造模式図である。
【図６】本発明の他の実施例によるレンジフードの分解図である。
【図７】図６に示されるレンジフードの上パネルが開放状態にある時の構造模式図である。
【図８】図７の他の方位での構造模式図である。
【図９】図５におけるＢ箇所の拡大図である。
【発明を実施するための形態】
【００２６】
以下、実施例に基づいて本発明を説明するが、本発明はこれらの実施例だけに限られるものではない。本発明の細部についての以下の説明では、幾つかの特定の細部について事細かに説明している。当業者にとっては、これらの細部についての説明がなくても、本発明を完全に理解可能である。本発明の本質が曖昧にならないよう、周知の方法や過程、フロー、素子については詳細に述べていない。
【００２７】
また、ここで提供される図面はいずれも説明のためのもので、必ずしも実際の寸法に従って描かれるものではないことを当業者は了解されたい。
【００２８】
文脈において明らかに要求されていない限り、明細書のすべて及び特許請求の範囲中の「備える」、「含む」等の類似した語彙は、排他的又は網羅的な意味ではなく、包含の意味として理解されるべきである。つまり、「…を含むがそれに限定されない」という意味で理解されるべきである。
【００２９】
本発明の説明で使用される、「第１」、「第２」等の用語は単に説明のためのものであり、相対的な重要性を指示又は暗示するものと見なすべきではないことは理解されたい。また、本発明の説明では、別途説明しない限り、「複数」は二つまたはそれ以上を意味する。
【００３０】
本発明に記載する「外」と「内」とは、レンジフード自体に対するものを言い、レンジフード内部に近い側は内、レンジフード内部から離れた側は外となる。本発明に記載する「上」「下」とは、レンジフードが正常に作動する場合の方位を言い、具体的には、図１に示される方位を参照とすることができる。
【００３１】
本発明によるレンジフードは、図１に示されるように、開口を有する筐体１と、筐体１に設けられた油煙取込みパネル組立体２とを備え、油煙取込みパネル組立体２は筐体１の開口部位に設けられ、筐体１とともに収容室を形成する。この収容室内には、ボリュート（図示せず）と、ボリュート内に設けられたインペラ３と、インペラ３を回転させるように駆動する駆動装置（図示せず）とが設けられ、駆動装置は、例えばモータでもよい。油煙取込みパネル組立体２は、少なくともインペラ３に対応する領域において筐体１の開口を開放することができ、そしてインペラ３をこの領域から取り出せる構造であるため、利用者がインペラ３やボリュートの内側壁を清掃しようとすると、油煙取込みパネル組立体２を開放させれば、インペラ３を容易に油煙取込みパネル組立体２の一方側から取り出すことができる。よって、利用者が取り出したインペラを清掃したり、ボリュートの内部までその内側壁を清掃することが容易になり、それにより、レンジフードの吸引力が保証され、レンジフードの使用寿命が延長される。
【００３２】
本発明によるレンジフード構造は各種レンジフードに適用され、以下、側面吸気型レンジフードを例としてその各種実施例を紹介する。油煙取込みパネル組立体２は、レンジフードの油煙を吸入する側に設けられるパネル組立体で、複数枚のパネルを含むものであり、そのうち、少なくともインペラ３の位置に対応するパネルは開放可能な構造とされる。例えば、図１に示される実施例では、複数枚のパネルは上パネル２１、下パネル２２及び上パネル２１と下パネル２２との間に位置する油煙案内板２３を含み、インペラ３を取り出そうとする場合、上パネル２１と油煙案内板２３はインペラ３の取出しの阻害となる（後で具体的に記述する）ため、上パネル２１と油煙案内板２３を開放可能な構造とし、さらには、中間位置にある油煙案内板２３を取り外さなければインペラ３の取り出しが阻害されるため、油煙案内板２３は取外し可能な構造にされる。即ち、油煙案内板２３は完全にレンジフードから取り外すことができる一方、上パネル２１は図１に示されるような取外し可能な構造としてもよく、図６に示されるような旋回可能な構造としてもよい。また、上下に摺動可能な構造としてもよく、これらの構造のいずれによっても、インペラ３を容易に取り出すという目的が達成可能である。
【００３３】
油煙取込みパネル組立体２は筐体１に接続されてもよく、図１に示されるように、筐体１の開口部位において油煙取込みパネル組立体２の内側に位置する集煙フード４が設けられ、油煙取込みパネル組立体２は集煙フード４に接続されてもよい。具体的には、図１に示される実施例では、上パネル２１は第１接続部材５により集煙フード４に接続され、図２に示されるように、第１接続部材５は第１接続部５１と第２接続部５２とを含み、第１接続部５１は上パネル２１の内側表面に接続され、接続方式としては、例えば粘着，係止，ソケット継手，締め具により接続されてもよいが、粘着による接続が好ましい。第２接続部５２は集煙フード４に取外し可能に接続され、例えば係止，ソケット継手等により接続され、好ましくは、着脱を容易にするために、第２接続部５２は締め具により集煙フード４に固定接続される。第１接続部材５は一つであってもよく、複数であってもよく、図２に示される実施例では、第１接続部材５は二つ設けられ、それぞれ上パネル２１の両側に位置している。
【００３４】
第１接続部５１と第２接続部５２は、上パネル２１と集煙フード４との接続を実現可能なあらゆる構造としてもよく、好ましくは、加工や組付けを容易にするために、図２に示されるように、第１接続部５１と第２接続部５２はいずれも板状構造をなしながら互いに平行となり、接続板５３により互いに接続される。好ましくは、接続板５３の一方の側縁は第１接続部５１の一方の縁に接続され、対向する他方の側縁は第２接続部５２の一方の縁に接続され、さらに好ましくは、第１接続部５１と第２接続部５２は接続板５３に対して逆方向に伸びている。具体的には、接続板５３は第１接続部５１の一方の側縁に沿って伸びる長尺形の板状構造であり、接続板５３の一方の長辺は第１接続部５１に接続され、対向する他方の長辺は第２接続部５２に接続され、第２接続部５２は二つ設けられて、それぞれ接続板５３の両端位置にあることが好ましい。さらに好ましくは、接続板５３の二つの短辺には突起構造がさらに設けられている。接続板５３は第１接続部５１と第２接続部５２のそれぞれに対して垂直であってもよく、鋭角又は鈍角をなすように設けられてもよいものであり、接続板５３で第１接続部５１と第２接続部５２を接続することにより、第１接続部５１と第２接続部５２との間の距離を調整しやすくなり、第１接続部材５と集煙フード４の組付けを容易にしている。
【００３５】
さらには、集煙フード４の側壁に開口４１が設けられ、第２接続部５２と少なくとも一部の接続板５３は開口４１から集煙フード４の内側まで貫入し集煙フード４と接続することができる。具体的には、図５と図９に示されるように、筐体１の側板には、その開口の外側へ折り曲げられて形成されたつば１０１が設けられ、集煙フード４の後側には、筐体１のその開口に近い構造に嵌着される枠状構造３５が設けられ、つば１０１は枠状構造３５に例えば締め具１０２により固定されることで、集煙フード４は筐体１に固定されるようになり、集煙フード４の内側まで貫入した第２接続部５２も締め具１０２により枠状構造４５に接続される。好ましくは、第２接続部５２とつば１０１は同一の締め具１０２により枠状構造４５に固定接続されることで、組付け効率を高めている。組付けを容易にするために、締め具１０２は後方側から各部分間の固定接続を行っている。
【００３６】
さらには、図１に示されるように、集煙フード４にはインペラ３の位置に対応する送風口４２が設けられ、好ましくは、集煙フード４には油煙取込みパネル組立体２から離れる方向へ凹む窪み部４３が形成され、送風口４２は窪み部４３の内底面に設けられ、インペラ３の径方向において、送風口４２の縁はインペラ３の外側に位置し、集煙フード４によりインペラ３の取出しを阻害することが回避されている。集煙フード４には、送風口４２を覆って吸入空気をろ過する第１ろ過構造６が取り付けられ、第１ろ過構造６はオイルスクリーン６１であることが好ましく、その外縁に装着フランジ６２が設けられ、装着フランジ６２は集煙フード５に取外し可能に接続され、例えば、締め具により集煙フード４に固定接続されている。好ましくは、第１ろ過構造６は集煙フード４の窪み部４３に収容され、それにより、レンジフードの構造がよりコンパクトになる。
【００３７】
さらには、上パネル２１と下パネル２２との間の空間はレンジフードの送風口を構成し、レンジフードは、上パネル２１と下パネル２２との間に設けられ、油煙案内板２３の位置に対応する第２ろ過構造７をさらに備える。即ち、油煙案内板２３は第２位置（後で具体的に記述する）にあると、ちょうど第２ろ過構造７を覆うようになり、第２ろ過構造７はレンジフードの送風口に吸入された空気をろ過するためのもので、例えば図１に示されるグリッドスクリーンであってもよい。
【００３８】
好ましくは、窪み部４３は、インペラ３の上半部の位置に対応する第１部分４３１とインペラ３の下半部及び第２ろ過構造７の位置に対応する第２部分４３２とを含み、第１部分４３１の側壁４３１１はインペラ３の径方向外縁に合致する形状となるように周回され、第２部分４３２の側壁４３２１は第２ろ過構造７の辺部に合致する形状となるように周回され、第２ろ過構造７は第２部分４３２に取り付けられる。上パネル２１が集煙フード４に取り付けられると、第１部分４３１を覆うようになるため、インペラ３を取出すのに阻害となり、インペラ３を取り出そうとする場合、上パネル２１を開放させる必要がある。一つの好ましい実施例では、第２ろ過構造７は集煙フード４におけるボールプランジャ４４に取り付けられている。
【００３９】
さらには、油煙案内板２３は図７に示されるような開放状態にある第１位置と閉止状態にある第２位置とを有し、開放状態では、油煙案内板２３の下端は上端に対して筐体１から離れた位置にある。即ち、油煙案内板２３は上から下まで徐々に筐体１から離れた方向に傾斜するようになるため、油煙の案内が実現され、閉止状態では、油煙案内板２３と上パネル２１，下パネル２２とが互いに接して油煙取込みパネル組立体２の平坦な外面が形成され、外観の完全性が保証される一方、ほこり等の異物がレンジフード内に侵入することは回避可能である。
【００４０】
油煙案内板２３は筐体１に接続されてもよく、図１に示されるように集煙フード４に接続されてもよく、一つの好ましい実施例では、油煙案内板２３は第２接続部材８により集煙フード４に接続される。図３に示されるように、第２接続部材８は第３接続部８１と第４接続部８２とを含み、第３接続部８１は油煙案内板２３の内側表面に接続され、接続方式としては、例えば粘着，係止，ソケット継手，締め具により接続されてもよいが、粘着により接続されるのが好ましい。第４接続部８２は集煙フード４に取外し可能に接続され、例えば係止，ソケット継手等により接続され、好ましくは、着脱を容易にするために、第４接続部８２は締め具により集煙フード４に固定接続されている。第２接続部材８は、一つであってもよく、複数であってもよく、図３に示される実施例では、第２接続部材８は二つ設けられ、それぞれ油煙案内板２３の両側に位置している。
【００４１】
第３接続部８１と第４接続部８２は、油煙案内板２３と集煙フード４との接続を実現可能なあらゆる構造としてもよい。好ましくは、加工や組付けを容易にするために、図３に示されるように、第３接続部８１と第４接続部８２はいずれも板状構造をなし、第４接続部８２は第３接続部８１の一方の側縁に接続され、両者は互いに垂直となるように設けられてもよく、鋭角又は鈍角をなすように設けられてもよく、それにより、第４接続部８２と集煙フード４の組付けは容易になる。
【００４２】
さらには、集煙フード４には伸縮可能なホルダ９が設けられ、第４接続部８２は伸縮可能なホルダ９により集煙フード４に接続され、伸縮可能なホルダ９は駆動装置（図示せず）によって駆動されて集煙フード４に対して伸びたり縮んだりする運動を行うことができる。それにより、油煙案内板２３は第１位置や第２位置への切替えが可能になる。一つの好ましい実施例では、伸縮可能なホルダ９は図４に示されるようにスロット９１が設けられ、スロット９１は伸縮可能なホルダ９の端面に設けるのが好ましく、第４接続部８２はスロット９１内に挿入され、そして締め具９２により伸縮可能なホルダ９に固定接続される。また、油煙案内板２３の姿勢を一定にするために、好ましくは、締め具９２は三つ設けられ、それぞれ三角形の三つの頂点に位置し、それにより、油煙案内板２３は伸縮可能なホルダ９に取り付けられる場合、一意的に定めた装着姿勢となる。当然ながら、締め具９２は二つ設けられてもよい。さらには、第４接続部８２の位置決めを容易にするために、スロット９１の側壁に位置決め用突起構造９３が設けられ、位置決め用突起構造９３は例えばスロット９１の側壁に形成されたリブであってもよく、リブは第４接続部８２の挿入方向に伸びることが好ましい。伸縮可能なホルダ９はＪ字状の構造とすることが好ましい。
【００４３】
さらには、インペラ３の油煙取込みパネル組立体２から離れた端にエンドピース（図示せず）が設けられ、これは例えばエンドプレートであってもよく、駆動装置の駆動軸によりエンドプレートを回転させるように駆動することで、インペラ３は回転するようになり、駆動装置の駆動軸は締め具によりエンドピースに接続される。例えば、図１に示される実施例では、締め具は回転ナット１０とされており、インペラ３の取外しを容易にするために、好ましくは、回転ナット１０はエンドピースの油煙取込みパネル組立体２に近い側で着脱される。
【００４４】
このように、インペラ３を取り出して清掃しようとする場合、以下のような操作を順に行う。
【００４５】
油煙案内板２３を伸縮可能なホルダ９から取り外す。
【００４６】
第２ろ過構造７を集煙フード４から取り外す。
【００４７】
上パネル２１を集煙フード４から取り外す。
【００４８】
第１ろ過構造６を集煙フード４から取り外す。
【００４９】
回転ナット１０を緩めてインペラ３を離脱させることで、インペラ３を送風口４２から取り出す。
【００５０】
上パネル２１が図１に示される取外し可能な構造に限られるものではないことは理解可能であり、例えば、図６に示される実施例では、上パネル２１は旋回可能な構造とされ、好ましくは、上パネル２１は筐体１にヒンジ連結され、さらに好ましくは、上パネル２１の頂辺は筐体１にヒンジ連結される。このようにすれば、図７に示されるように、上パネル２１はヒンジ軸のまわりを回転可能となり、それにより、上パネル２１をインペラ３の取出し用スペースを避けた位置まで旋回させることが可能となる。一つの具体的な実施例では、上パネル２１はヒンジ構造１１により筐体１に接続され、ヒンジ構造１１の第１羽根（図示せず）は上パネル２１に接続され、第２羽根１１１は筐体１に接続される。好ましくは、図８に示されるように、第２羽根１１１は筐体１の頂板に接続され、第１羽根はヒンジ軸により第２羽根１１１とともにヒンジ連結を形成し、それにより、上パネル２１と筐体１のヒンジ連結が実現する。代替の実施例では、筐体１にヒンジ軸を設けるようにしてもよく、それにより、上パネル２１はヒンジ軸のまわりを回転可能となり、筐体１には上パネル２１が摺動するスライドレールがさらに設けられる。上パネル２１がヒンジ軸のまわりに一定の角度まで旋回した場合、上パネル２１がスライドレールと突き合わせされ、スライドレールに沿って筐体１の上部まで上パネル２１を摺動させることで、上パネル２１を筐体１の上部に位置決めする。それにより、インペラ３の取出しが容易になる。レンジフードのその他の構造は図１に示される実施例と類似するので、ここでは贅言しない。当然ながら、上パネル２１は集煙フード４にヒンジ連結されてもよいことは理解可能である。また、上パネル２１は上下に摺動可能な構造とされてもよく、インペラ３を取り出そうとする場合、上パネル２１を上へ摺動させてインペラ３の取出し用スペースを避けるようにする。
【００５１】
本発明によるレンジフードでは、インペラ３に対応する領域において筐体１の開口を開放させ得るように油煙取込みパネル組立体２を設けているため、利用者がインペラ３やボリュートの内側壁を清掃するとき、油煙取込みパネル組立体２を開放させれば、インペラ３を容易に油煙取込みパネル組立体２の一方側から取り出すことができるため、利用者が取り出したインペラ３を清掃したり、ボリュートの内部までその内側壁を清掃することが容易になり、それにより、レンジフードの吸引力が保証され、レンジフードの使用寿命が延長する。
【００５２】
矛盾が生じない限り、上記した各々の好ましい解決手段は自由に組み合わせることがきるのを当業者は理解できる。
【００５３】
上記の実施形態は単に例示的なもので、制限的なものではないことは理解されたいが、本発明の基本原理から外れない限り、当業者による上記の細部についての各種の明らかな又は等価の変更や置換は、いずれも本発明の特許請求の範囲に含まれるべきである。
【符号の説明】
【００５４】
１−筐体
１０１−つば
１０２−締め具
２−油煙取込みパネル組立体
２１−上パネル
２２−下パネル
２３−油煙案内板
３−インペラ
４−集煙フード
４１−開口
４２−送風口
４３−窪み部
４３１−第１部分
４３１１−側壁
４３２−第２部分
４３２１−側壁
４４−ボールプランジャ
４５−枠状構造
５−第１接続部材
５１−第１接続部
５２−第２接続部
５３−接続板
６−第１ろ過構造
６１−オイルスクリーン
６２−装着フランジ
７−第２ろ過構造
８−第２接続部材
８１−第３接続部
８２−第４接続部
９−伸縮可能なホルダ
９１−スロット
９２−締め具
９３−位置決め用突起構造
１０−回転ナット
１１−ヒンジ構造
１１１−第２羽根
【図１】
2020531775.tif 000003
【図２】
2020531775.tif 000004
【図３】
2020531775.tif 000005
【図４】
2020531775.tif 000006
【図５】
2020531775.tif 000007
【図６】
2020531775.tif 000008
【図７】
2020531775.tif 000009
【図８】
2020531775.tif 000010
【図９】
2020531775.tif 000011
【国際調査報告】
2020531775.tif 000012
2020531775.tif 000013
2020531775.tif 000014
2020531775.tif 000015
2020531775.tif 000016